(57)【要約】      （修正有）【課題】切花からの水分によって手が濡れることがない、使い心地が良好な花束の包装材を提供する。【解決手段】包装材１０は、切花を束ねた花束１２を収容する吸水性の内側包装袋１４と、内側包装袋１４を収容する防水性の外側包装袋１６とを含む。内側包装袋１４は不織布シートから形成され、また外側包装袋１６は花模様１８を有する透明シート、例えばセロファンから形成されている。【選択図】図１
0003144316.tif 000002
【実用新案登録請求の範囲】
【請求項１】
切花を収容する吸水性の内側包装袋と、該内側包装袋を収容する防水性の外側包装袋とを含む、花束の包装材。
【請求項２】
前記内側包装袋及び前記外側包装袋は、それぞれ、平面三角形状を有する、請求項１に記載の包装材。
【請求項３】
前記外側包装袋の形状は前記内側包装袋の形状に相似である、請求項１に記載の包装材。
【請求項４】
前記内側包装袋の内側に防水性の内袋を含む、請求項１に記載の包装材。
【請求項５】
前記内側包装袋は不織布シートから形成され、また前記外側包装袋は模様を有する透明シートから形成されている、請求項１に記載の包装材。
【考案の詳細な説明】
【技術分野】
【０００１】
本考案は、花束のための包装材に関する。
【背景技術】
【０００２】
従来、花束のための包装材は、花束を受け入れる開口を有するテーパー状の内側包装体と、これの外周面に沿って設けられる外側包装体とを備える。かかる包装材では、内側包装体は不織布を用いて形成されている。したがって、内側包装体は、切花の茎から滲み出る水分を吸収することができる（特許文献１参照）。
【特許文献１】特開２００５−１４９８７号公報
【０００３】
しかし、前記包装材は、花束の見栄えを良くするために、外側包装体に網の目状のメッシュを使用しているため、使用者は水分を吸収した内側包装体を該メッシュを通して触ることになり、手が濡れ、使い心地が悪い。
【考案の開示】
【考案が解決しようとする課題】
【０００４】
本考案の目的は、切花からの水分によって手が濡れることがない、使い心地が良好な花束の包装材を提供することにある。
【課題を解決するための手段】
【０００５】
本考案に係る縁取りテープは、切花を収容する吸水性の内側包装袋と、該内側包装袋を収容する防水性の外側包装袋とを含む。
【０００６】
前記内側包装袋及び前記外側包装袋は、それぞれ、平面三角形状を有するようにすることができる。前記外側包装袋の形状は前記内側包装袋の形状に相似にすることができる。前記内側包装袋の内側に防水性の内袋を含むことができる。前記内側包装袋は不織布シートから形成され、また前記外側包装袋は模様を有する透明シートから形成されるようにしてもよい。
【考案の効果】
【０００７】
本考案によれば、切花から滲み出した水分を吸収した内側包装袋を外側包装袋によって包装することができる。これにより、使用者は水気を帯びた内側包装袋を直接、触ることなく花束を持つことができる。
【０００８】
前記内側包装袋及び前記外側包装袋は、それぞれ、平面三角形状を有するようにすれば、内側包装袋の一辺部を外側包装袋の一辺部に合わせて押し込むだけで、内側包装袋を外側包装袋に挿入することができる。
【０００９】
前記外側包装袋の形状を前記内側包装袋の形状に相似するようにすれば、内側包装袋を外側包装袋に収容したとき、対称的な形状の包装材を形成するようにすることができる。これにより、花束を包装材に収容したとき、包装材の対称性によって、花束を美しく見せることができる。
【００１０】
前記内側包装袋の内側に防水性の内袋を設ければ、切花からの水分が内側包装袋に浸透することを防止することができる。
【００１１】
前記内側包装袋は不織布シートから形成され、また前記外側包装袋は模様を有する透明シートから形成されるようにすれば、花束の茎を覆いかつ装飾することができる。
【考案を実施するための最良の形態】
【００１２】
図１を参照すると、本考案に係る花束用の包装材の実施例が示され、包装材はその全体を符号１０で示されている。
【００１３】
包装材１０は、切花を束ねた花束１２（図２）を収容する吸水性の内側包装袋１４と、内側包装袋１４を収容する防水性の外側包装袋１６とを含む。内側包装袋１４は不織布シートから形成され、また外側包装袋１６は花模様１８を有する透明シート、例えばセロファンから形成されている。
【００１４】
内側包装袋１４の不織布によって、見た目が美しくない花束の茎を覆い隠し、かつ不織布上に浮かび上がる外側包装袋１６の花模様１８によって花束を装飾することができ、花束を一層華やかに見せることができる。また、内側包装袋１４の不織布に色彩、模様を付せば、不織布の色彩等と外側包装袋１６の模様との組み合わせによって、花束の装飾性を一層高めることができる。
【００１５】
内側包装袋１４はその内側に防水性の内袋２０を含む。内袋２０は例えば、透明なセロファンから形成されている。この内袋２０によれば、切花からの水分が内側包装袋１４に浸透することを防止することができる。特に、内側包装袋１４によって吸収しきれない水分が切花から生じるおそれがある場合には、内側包装袋１４及び外側包装袋１６の間に水が溜まり、花束の装飾性を損なうが、これを内袋２０によって防止することができる。
【００１６】
内側包装袋１４、外側包装袋１６及び内袋２０は、それぞれ、折り畳んだ状態で平面三角形状を有し、三者の形状は互いに相似する。図示した例では、内袋２０は内側包装袋１４に完全に重なるように収容されている。一方、内側包装袋１４は外側包装袋１６に、内側包装袋１４の一部が外側包装袋１６の開口が突出するように収容されている。これにより、左右方向に対称的な広がりの開口を有する包装材を形成することができ、花束の装飾性を一層高めることができる。
【００１７】
また、内側包装袋１４を外側包装袋１６に完全に重なるように収容することもできる。これにより、傾斜した開口縁部を有する包装材を形成することができる。かかる包装材によれば、花束を傾斜した開口縁部の低い方から見ると、開口縁部の高い方の内側包装袋の内面が花束の背景になり、花束を美しく見せることができる。
【００１８】
内側包装袋１４、外側包装袋１６及び内袋２０は、それぞれ、平面矩形のシートをその対角線に従って折り曲げ、隣接する２つの辺部を互いに溶着することによって形成されている。符号１４ａ、１６ａ及び２０ａは、それぞれ、内側包装袋１４、外側包装袋１６及び内袋２０の溶着部を示す。溶着手段として、超音波、熱源、接着剤等を使用することができる。
【００１９】
図示した例では、内側包装袋１４の溶着部１４ａ及び内袋２０の溶着部２０ａは、互いに重なっている。これにより、内袋２０は内側包装袋１４から抜き取ることができないが、溶着部１４ａ及び溶着部２０ａを、それぞれ、重ならないように内側包装袋１４及び内袋２０に設け、内袋２０を内側包装袋１４から抜き取り可能にすることもできる。
【００２０】
図示した例では、内側包装袋１４及び外側包装袋１６の各開口縁部１４ｂ、１６ｂ及び２０ｂは直線状に形成されているが、波形、鋸歯状形に形成することができる。これにより、花束１２の装飾効果を一層高めることができる。
【００２１】
この包装材１０で花束１２を包装するとき、使用者は、包装材１０の内袋２０に花束１２を挿入し、花束１２の花弁の部分が内側包装袋１４、外側包装袋１６及び内袋２０の各開口縁部１４ｂ、１６ｂ及び２０ｂの近傍に位置したとき、リボン等の紐２２を外側包装袋１６の表面から花束１２の茎に縛りつける（図２）。
【産業上の利用可能性】
【００２２】
本考案は、上記実施例に限定されず、本考案の趣旨を逸脱しない限り、種々変更できる。
【図面の簡単な説明】
【００２３】
【図１】本考案に係る花束の包装材の実施例を示す斜視図。
【図２】図１の包装材の使用状態を示す図。
【符号の説明】
【００２４】
１０  花束の包装材
１２  花束
１４  内側包装袋
１６  外側包装袋
１８  花模様
２０  内袋
１４ａ、１６ａ、２０ａ  溶着部
１４ｂ、１６ｂ、２０ｂ  開口縁部
２２  紐
【図１】
0003144316.tif 000003
【図２】
0003144316.tif 000004